(57)【要約】【課題】ペット用キャリーバッグの構造の提供。【解決手段】ペット用キャリーバッグの構造は、袋本体と２本のバックベルトから構成され、その特徴はその袋体の両側にファスナーがつけられ、前袋と後袋に区分され、並びにその前袋の四隅にはそれぞれ４つの穿孔と、その袋体底部には１つ設置穴が開けられ、当該２本のバックベルトが袋体の背側につけられていることである。使用時には、まず袋体両側のファスナーを開け、適当な大きさのペットをその袋体内に入れ、ペットの頭を袋の口に向け、４本の脚と尾をそれぞれの穿孔と設置穴から外側へ出し、次にファスナーを閉じると、使用者がペットを簡便に持ち運ぶ効果を達成することができる。【選択図】図２
0003123870.tif 000002
【実用新案登録請求の範囲】
【請求項１】
主に袋体と２本のバックベルトから構成され、その特徴はその袋体の両側にそれぞれファスナーがつけられ、前袋と後袋に区分することができ、並びに、その前袋の四隅にそれぞれ４つの穿孔が開けられ、またその袋体底部にも１つ設置穴が開けられ、その２本のバックベルトが袋体の背側に設けられていることを特徴とするペット用キャリーバッグの構造。
【請求項２】
当該袋体両側の開口部に近いところにそれぞれ安全フックをつけることを特徴とする請求項１記載のペット用キャリーバッグの構造。
【請求項３】
当該袋体はネット状の硬質を呈する通気材質であることを特徴とする請求項１記載のペット用キャリーバッグの構造。
【考案の詳細な説明】
【技術分野】
【０００１】
本考案はペット用キャリーバッグの構造に関するもので、それは袋体であり、その袋体の前袋には４つの穿孔が設けられ、その底部には１つの設置穴が設けられている。そして、両側の縁にそれぞれファスナーをつけ、背側には２本のバックベルトがつけられている。ペットを袋体内に入れると、使用者が簡便にペットを連れて外出する効果を達成する。
【背景技術】
【０００２】
従来から使用されているペット用キャリーバッグは(図１参照)、その構造が平板軟質を呈する袋体ａの中央近くに１つ適当な穴径の設置穴ａ１が開けられ、当該穴ａ１の周辺がパイピングａ２されている。また袋体ａ上の長さ方向の２端にそれぞれ２本の肩ベルトａ３及び２つのリングａ４をつけ、そのうち、当該２本の肩ベルトａ３の端にフックａ５をつけ、フックａ５とリングａ４を用いて留め合わせると、使用者が肩に掛ける状態を形成することができる。また袋体ａの肩ベルトａ３がつけられた一端の近くに、横向きに一本の長い粘着テープａ６をつけ、その長い粘着テープａ６の両端にはそれぞれオス粘着台ａ７をつけ、袋体ａの別の端の、リングａ４に近いところにメス粘着台ａ８をつける。使用時には、両端のオス粘着台ａ７とメス粘着台ａ８を互いに完全に重ね合わせて結合することができる。この時、袋体ａは受け入れ空間ａ９を形成し、ペットをその中に入れることができ、またその尾を設置穴ａ１から外側へ出す。そうして、使用者がペットを連れて外出するとき、ペットを袋体ａ内に入れるが、居心地が悪いと、ペットは暴れて、オス粘着台ａ７とメス粘着台ａ８が外れたり、破損して、ペットがキャリーバッグから落ち、使用者の外出に不便を感じるため、改良する必要があった。
【０００３】
本考案の考案者は上記の周知の構造の欠点に鑑みし、心を込めて研究し、またこれらの事業に長年従事して経験を積み、ついに革新的なペット用キャリーバッグの構造を設計したものである。
【考案の開示】
【考案が解決しようとする課題】
【０００４】
本考案の主要目的は、ペット用キャリーバッグの構造を提供し、使用者がペットを連れて外出する時、持ち運びに便利で、同時にペットにも心地よいという効果を達成するものである。
【０００５】
上記の目的を達成するため、本考案ペット用キャリーバッグの構造は主に袋体と２本のバックベルトで構成され、その特徴はその袋体の両側にファスナーをつけて前袋と後袋に区分し、並びにその前袋の四隅にそれぞれ４つの穿孔を開け、またその袋体底部にも１つ設置穴が開けられ、当該２本のバックベルトが袋体の背側につけられていることである。
【０００６】
上記の構造に基づき、使用時には、まず袋体両側のファスナーを開け、袋体の前袋と後袋を開く動作を行い、次に適当な大きさのペットを袋体内に入れ、並びにペットの頭を袋の口に向け、４本の脚と尾をそれぞれの穿孔と設置穴から外側へ出し、次にファスナーを閉じる。こうすることでペットを連れて外出する時、使用者が簡便に持ち運ぶ効果を達成するものである。
【課題を解決するための手段】
【０００７】
請求項１の考案は、主に袋体と２本のバックベルトから構成され、その特徴はその袋体の両側にそれぞれファスナーがつけられ、前袋と後袋に区分することができ、並びに、その前袋の四隅にそれぞれ４つの穿孔が開けられ、またその袋体底部にも１つ設置穴が開けられ、その２本のバックベルトが袋体の背側に設けられていることを特徴とするペット用キャリーバッグの構造としている。
請求項２の考案は、当該袋体両側の開口部に近いところにそれぞれ安全フックをつけることを特徴とする請求項１記載のペット用キャリーバッグの構造としている。
請求項３の考案は、当該袋体はネット状の硬質を呈する通気材質であることを特徴とする請求項１記載のペット用キャリーバッグの構造としている。
【考案の効果】
【０００８】
本考案はペット用キャリーバッグの構造を提供し、使用者がペットを連れて外出する時、持ち運びに便利で、同時にペットにも心地よいという効果を達成するものである。
【考案を実施するための最良の形態】
【０００９】
図２、図３には本考案のペット用キャリーバッグの構造を示し、それは主に袋体１０とバックベルト２０で構成され、その袋体１０内は適当な大きさのペットを入れるのに用いる。
【００１０】
その中で、その袋体１０はネット状の硬質を呈する通気材質で、袋体はへこみにくく、夏季の使用においては通気効果がある。冬季の使用には、保温と美観のため、内層に厚い布、外層に柄入り綿布をプラスできる。当該袋体１０の両側にはそれぞれファスナー１１をつけ、且つ前袋１２及び後袋１３に区分し、またその四隅にそれぞれ４つの穿孔１４を開け、その袋体底部にも１つ設置穴１５を設ける。そして当該２本のバックベルト２０を袋体１０の背側につけ、また袋体１０の両側の開口部近くにそれぞれ安全フック１６をつけて、袋体１０の防護性を増す。
【００１１】
図２、図３、図４を参照すること。本考案を使用する時、まず袋体１０両側のファスナー１１を開け、袋体１０の前袋１２及び後袋１３を開く。当該袋体１０の底部の両端はそれぞれ前袋１２及び後袋１３と連結されている。次に適当な大きさのペットをその袋体１０内に入れる。そのペットの頭部を袋体１０の開口部へ向け、さらにペットの４本の脚を袋体１０の４つの穿孔１４から外側へ出し、続いて尾を設置穴１５から外側へ出す。次に袋体１０の両側のファスナー１１を引き上げると、ペットを袋体１０内に覆うことができる。
【００１２】
当該袋体は通気効果があるので、ペットを袋体内に入れても心地よく、あまり暴れたり居心地が悪い鳴き声をあげたりしない。ファスナーと安全フックを加えた二重の保護により、ペットが袋体の外へ落ちる心配もなく、使用者がペットを持ち運ぶ便利さを達成することができる。
【００１３】
上記に述べたことをまとめると、本考案のペット用キャリーバッグの構造はペットを連れて外出する時、簡便な持ち運び効果を確実に達成する。
【図面の簡単な説明】
【００１４】
【図１】従来のペット用キャリーバッグの図である。
【図２】本考案の立体図である。
【図３】本考案の展開図である。
【図４】本考案の使用説明図である。
【符号の説明】
【００１５】
ａ、１０  袋体
ａ３  肩ベルト
ａ４  リング
ａ５  フック
ａ６  長い粘着テープ
ａ７  オス粘着台
ａ８  メス粘着台
ａ９  受け入れ空間
１１  ファスナー
１２  前袋
１３  後袋
１４  穿孔
ａ１、１５  設置穴
１６  安全フック
２０  バックベルト
【図１】
0003123870.tif 000003
【図２】
0003123870.tif 000004
【図３】
0003123870.tif 000005
【図４】
0003123870.tif 000006